(57)【要約】パーソナルグリーティングをインターネット上でホストされたウェブサイトで提示するために個人広告に添付するシステムを提供する。このシステムは、クライアント、通信リンク、サーバーを含む。クライアントは入力デバイス及びブラウザを有する。サーバーは個人広告のデータベースを保存するメモリと、音声によるグリーティングシステム及びビデオによるグリーティングシステムの少なくとも一つとを有する。このグリーティングシステムは、データベース及び通信リンクと協同し、クライアントのユーザーがデータベースから個人広告にアクセスし、クライアントからサーバーにパーソナルグリーティングを入力し、このパーソナルグリーティングを上記個人広告に関連付けることを可能にする。そのための方法も提供する。
2006518892.tif 000002
【特許請求の範囲】
【請求項１】
インターネット上で利用可能な個人広告に情報を添付する方法で、該方法が、
インターネットと交信し、個人広告のデータ記録に関する情報を保存するよう設定されたデータベースを提供することと、
該データーベースから離れた場所で選択した個人広告にアクセスすることと、
該離れた場所から該選択した個人広告にパーソナルグリーティングを添付することと、
から成る、該インターネット上で利用可能な個人広告に情報を添付する方法。
【請求項２】
該離れた場所からの該パーソナルグリーティングが、音声クリップとビデオクリップとの少なくとも一つから成ることを特徴とする請求項１に記載の方法。
【請求項３】
公衆電話ネットワークを提供することと、ユーザーが該データベースに関連する個人広告システムに電話をかけることが出来て、該パーソナルグリーティングを少なくとも部分的に提供するビデオクリップを収録出来る該公衆電話ネットワーク上の電話番号を特定することとから更に成る請求項１に記載の方法。
【請求項４】
ウェブサイト上で該データベースを提供することと、該ウェブサイトにアクセスするユーザーに応えて、該ウェブサイトに該電話番号を入力するリクエストを該ウェブサイトが該ユーザーに転送することとから更に成る請求項３に記載の方法。
【請求項５】
該個人広告システムが該電話番号に電話をかけ、該電話に応える該ユーザーに応答して該ユーザーに音声クリップを収録するようプロンプトすることから更に成る請求項４に記載の方法。
【請求項６】
電話番号を特定することが、該ユーザーが該音声クリップを収録出来る電話番号を該個人広告が該ユーザーに提示することから成ることを特徴とする請求項３に記載の方法。
【請求項７】
インターネットブラウザを提供することと、該インターネットブラウザで該データベースにアクセスすることと、該パーソナルグリーティングのビデオクリップを該選択した個人広告に添付するために該データベースに送信することとから更に成る請求項１に記載の方法。
【請求項８】
検閲と、承認及び拒否のいずれかとのために、該ビデオクリップを該個人広告をホストしているサービス提供会社に提出することから更に成る請求項７に記載の方法。
【請求項９】
予め収録されたビデオによるグリーティングをアップロードすることから更に成る請求項８に記載の方法。
【請求項１０】
クライアントのウェブカメラを起動させることと、ユーザーにビデオによるグリーティングを収録するためのコントロールを表示することとから更に成る請求項８に記載の方法。
【請求項１１】
ビデオによるグリーティングを収録することから更に成る請求項１０に記載の方法。
【請求項１２】
該収録したビデオによるグリーティングを該選択した個人広告に添付することから更に成る請求項１１に記載の方法。
【請求項１３】
パーソナルグリーティングを添付することが、電話ベースのシステム構成要素に電話をかけることから成ることを特徴とする請求項１に記載の方法。
【請求項１４】
該電話ベースのシステム構成要素でパーソナルな音声によるグリーティングを収録することから更に成る請求項１３に記載の方法。
【請求項１５】
該収録したパーソナルな音声によるグリーティングを該選択した個人広告に付け加えることから更に成る請求項１４に記載の方法。
【請求項１６】
検閲と、承認及び拒否のいずれかとのために、該収録したパーソナルな音声によるグリーティングを該個人広告をホストしているサービス提供会社に提出することから更に成る請求項１５に記載の方法。
【請求項１７】
インターネット上でホストされたウェブサイトで提示するための個人広告にパーソナルグリーティングを添付するシステムで、該システムが
入力デバイスとブラウザを有するクライアントと、
通信リンクと、
個人広告のデータベースを保存するメモリと、音声によるグリーティングシステム及びビデオによるグリーティングシステムとの少なくとも一つとを有するサーバーで、該グリーティングシステムが該データベース及び該通信リンクと協同して、該クライアントのユーザーが該データベースから個人広告にアクセスし、該クライアントから該サーバーにパーソナルグリーティングを入力し、該パーソナルグリーティングを該個人広告に関連づけることが出来るようにする、該サーバーと、
から成る、該インターネット上でホストされたウェブサイトで提示するための個人広告にパーソナルグリーティングを添付するシステム。
【請求項１８】
サービス提供会社の第三者が該サーバーにアクセスして、該パーソナルグリーティングを該サーバーの該個人広告上に掲載することを受諾するかどうか決定するために該パーソナルグリーティングを検閲することが可能であるように、該サーバーが更に設定されていることを特徴とする請求項１７に記載のシステム。
【請求項１９】
音声によるグリーティングを収録するために該サーバーが公衆電話ネットワーク及び電話で該ユーザーに電話をかけることを可能にするため、該ユーザーが該サーバーに電話番号を入力出来るように設定されたユーザーインターフェースを該クライアントにおいて提供する音声によるグリーティングシステムを該サーバーが有することを特徴とする請求項１７に記載のシステム。
【請求項２０】
音声によるグリーティングシステム及びビデオによるグリーティングシステムの該少なくとも一つが、該クライアントのユーザーからビデオクリップ及びオーディオクリップの少なくとも一つを受け取るように設定されているユーザーインターフェースを該クライアントにおいて提供することを特徴とする請求項１７に記載のシステム。
【請求項２１】
音声によるグリーティングシステム及びビデオによるグリーティングシステムの該少なくとも一つが、コンテンツの検閲者が該ビデオクリップ及び該オーディクリップの少なくとも一つを検閲して、該クリップがインターネット上の該サーバーでホストすることを該コンテンツの検閲者が受諾出来るかどうか決定することが出来るように設定されていることを特徴とする請求項２０に記載のシステム。
【請求項２２】
該クライアントが出力デバイスから更に成ることと、該サーバーが音声によるグリーティングシステムを有することと、音声によるグリーティング音声クリップを収録するために該サーバーに電話をかけるための電話番号を、該音声によるグリーティングシステムが該出力デバイスを通じて該クライアントにおいてユーザーに提示することとを特徴とする請求項１７に記載のシステム。
【請求項２３】
音声によるグリーティング予め収録されたサウンドファイルを該ユーザーの該個人広告に添付するために該サーバーにアップロードするアップロード機能を、該音声によるグリーティングシステムが該クライアントの該ユーザーインターフェースにおいて該ユーザーに提示することを特徴とする請求項２２に記載のシステム。
【請求項２４】
該通信リンクがインターネット接続から成ることを特徴とする請求項１７に記載のシステム。
【請求項２５】
該クライアントが、オーディオ入力デバイス及びビデオ入力デバイスの少なくとも一つから更に成る請求項１７に記載のシステム。
【請求項２６】
該クライアントがマイクを含むオーディオ入力デバイスから更に成る請求項２５に記載のシステム。
【請求項２７】
該クライアントがデジタルウェブカメラを含むビデオ入力デバイスから更に成る請求項２５に記載のシステム。
【請求項２８】
該サーバーによりインタネット上にホストするために個人広告を保存しているデータベースから成る補助的な記憶装置を、該サーバーが有することを特徴とする請求項１７に記載のシステム。
【請求項２９】
ユーザーから該サーバーへ音声によるグリーティングを送信するための公衆電話ネットワークから更に成る請求項１７に記載のシステム。
【請求項３０】
該公衆電話ネットワークと通信し、ユーザーが該サーバーに音声によるグリーティングを提出するために該サーバーに電話をかけることが出来るように設定されている電話から更に成る請求項２９に記載のシステム。
【請求項３１】
収録したグリーティングを個人についての文章の情報を有する個人広告に付け加える方法で、該方法が
ネットワークについて分散した場所で見ることが出来る個人広告のデータベースを提供することと、
特定の人の個人広告を特定することと、
サービス提供会社がパーソナルグリーティングを承認または拒否するために社員が行う検閲のために、収録したパーソナルグリーティングを該特定の人が提出することを可能にすることと、
から成る、該収録したグリーティングを個人についての文章の情報を有する個人広告に付け加える方法。
【請求項３２】
該承認されたパーソナルグリーティングを該特定の個人の特定された個人広告に添付することから更に成る請求項３１に記載の方法。
【請求項３３】
電話及び電話ネットワークでサーバーへの音声によるグリーティングの送信を可能にするために、該特定の人と該サービス提供会社の該サーバーとの間の通信用の電話番号を特定することから更に成る請求項３１に記載の方法。
【請求項３４】
可能にする前に、該サービス提供会社に提出するためにクライアントにおいて該特定の人の音声クリップ及びビデオクリップを収録することから更に成る請求項３１に記載の方法。
【請求項３５】
インターネット上で利用可能な個人広告内に提供された個人についての情報を見るための方法で、該方法が
クライアントからインターネット上でサーバーのデータベース内の個人広告にアクセスすることと、
該クライアントから、動的な構成要素を有する該個人広告のパーソナルグリーティングを起動することと、
該パーソナルグリーティングの該動的な構成要素を、目で見るか耳で聞くかの少なくとも一つによって認識することと、
から成る、該インターネット上で利用可能な個人広告内に提供された個人についての情報を見るための方法。
【請求項３６】
認識した後に、少なくとも部分的には該パーソナルグリーティングの該動的な構成要素の認識に基づいて、該クライアントのユーザーと該個人広告で特徴付けられている個人との間で相性の合うと思われる相手を特定することから更に成る請求項３５に記載の方法。
【請求項３７】
相性の合うと思われる相手を特定することに続いて、該相性の合うと思われる相手の該個人広告を後で取り出して検討するために該サーバーの特別なメモリ場所に保存することから更に成る請求項３６に記載の方法。
【発明の詳細な説明】
【技術分野】
【０００１】
本発明は、ネットワーク上で利用可能な個人広告に関係する情報に関する。特に、本発明は、インターネット上で第三者オブザーバーまたは一般の人々が利用可能なオンライン個人広告に音声及び／またはビデオの情報を添付するための方法とシステムに関する。
【背景技術】
【０００２】
本願は、「音声及びビデオによるグリーティングシステム」という名称で２００３年１月９日に出願された、ウェイ・ワング、スタス・ズビンヤツコブスキー及びフイ・ザングを発明者とする米国特許分割出願番号６０／４３８，７６８、弁護士事件番号０９７８７０８０−６０００の関連出願であり、上記の米国特許出願書をここに参照することにより、本願に取り入れたものとする。
【発明の開示】
【発明が解決しようとする課題】
【０００３】
個人向けの結婚仲介及び交際相手紹介サービスは近年インターネット上での実施も定着してきている。以前は、結婚仲介サービスは、第三者サービス提供会社が結婚相手を求める利用者を面接し、個々の利用者の経歴を検討し、その第三者サービス提供会社の判断に基いて相性が合うと思われる相手を特定することにより行われていた。より詳しくは、幾つかのサービス提供会社は近年利用者が第三者サービス提供会社の判断を利用せずに、自分で直接相性が合うと思われる相手を特定することが出来るようにするオンライン個人広告を導入している。例えば、本願の出願人は近年、インターネット上の出願人のウェブサイトに掲載された個人データ及び写真を含む履歴書を利用者が検討、分析出来るようにした「Yahoo!パーソナルズ」を導入した。しかしながら、利用者個人が相性が合うと思われる相手をより特定し易くなるよう更に詳細な個人情報を提供する必要がある。
【０００４】
本願のシステム及び方法は、社交の相手、交際相手、友人、恋人、結婚相手の候補者として相性が合う相手を見つけたいと希望している個人利用者向けのインターネットを介して個人情報をオンラインで提供する仕方を改良するものである。より詳しくは、オンライン個人広告に１つ以上の音声及びビデオによるグリーティングを利用出来るようにし、個人利用者がオンライン個人広告を検討、分析し相性が合うと思われる相手を特定することが出来るようにする。更にまた、ホストはオンライン個人広告を掲載する能力とインフラを提供しつつ、更に個人によるオンライン個人広告に添付する音声及びビデオの情報をホストが検閲し採用（または拒否）出来るようにする。本願の１つの特徴によれば、本願はインターネット上で利用可能な個人広告に情報を添付する方法を提供する。該方法は、個人広告のデータ記録に関する情報を保存するよう設定されインターネットと交信するデータベースを提供することと、該データベースから離れた場所から選択した個人広告にアクセスすることと、該選択した個人広告にパーソナルグリーティングを添付することを含む。
【０００５】
本願の別の特徴によれば、本願はパーソナルグリーティングをインターネット上でホストされたウェブサイトで提示するために個人広告に添付するシステムを提供する。該システムは、クライアント、通信リンク、サーバーを含む。該クライアントは入力デバイス及びブラウザを有する。該サーバーは個人広告のデータベース及び、音声及びビデオによるグリーティングシステムの少なくとも１つとを保存するメモリを有する。該グリーティングシステムは、データベース及び通信リンクを連携させ、クライアントのユーザーがデータベースから個人広告にアクセスし、クライアントからサーバーに個人広告を入力し、パーソナルグリーティングを個人広告に関連付けることを可能にする。
【０００６】
更に本願の別の特徴によれば、本願は収録したグリーティングを個人についての文章の情報を有する個人広告に付け加える方法を提供する。該方法は、ネットワークについて分散場所で見ることが出来る個人広告のデータベースを提供することと、特定の人の個人広告を特定することと、該特定の人が、サービス提供会社の社員が該パーソナルグリーティングを承認または拒否するよう検閲するために、収録したパーソナルグリーティングを提出出来ることを含む。
【０００７】
本願の１つの効果は、個人広告内の文章及び写真の情報に添付されたビデオ及び／またはオーディオ情報を用いて、個人が相性が合うと思われる相手を特定する能力が強化されることである。
【実施例】
【０００８】
出願人の発明の好ましい実施例を参照していく。以下に、本発明の様々な態様に基づくオンライン個人広告に音声及び／またはビデオのコンテンツを添付するシステム及び方法に関する図を参照しながら実施例を説明、記述する。主に図１乃至図６を参照しながら以下に第一の設定を使った第一の実施例を示し、説明していく。
【０００９】
本発明を好ましい実施例を通して説明していくが、この説明は本発明をそのような実施例に限定するためのものではなく、そのような実施例よりも幅広く、添付の請求項の範囲に含まれる代替例、同等例、修正例を対象とすることを意図している。
【００１０】
ここで使う「パーソナルグリーティング」という用語は、音声及び／またはビデオによるマルチメディア要素から成り、ビジュアルのコンテクストにおいて静的な写真とは対照的にビジュアルまたはオーディオのコンテクストにおいて動的なパーソナルメッセージアプリケーションのことである。
【００１１】
ここで使う「個人広告」という用語は、インターネットなどのネットワークを通じて第三者へと広められる、経歴情報を含む一群の個人情報を指す。従来技術によれば、「個人広告」は第三者ユーザーに対しサービス提供会社のウェブページ上でビジュアルに表示されるテキスト及び静的なグラフィックの情報に限られていた。本発明の特徴を用いて実施される場合「個人広告」は更に、テキスト、オーディオ及びグラフィックのマルチメディア要素を含むマルチメディアプレゼンテーションから成り、静的要素と共に動的なビジュアル及び／またはオーディオ（または音声）要素を有するマルチメディアプレゼンテーションを提供するために動画ビデオを含むことも出来る。
【００１２】
本発明に基くシステム及び方法は、オンラインの個人広告のために音声及び／またはビデオによるグリーティングを提供するように設定されている。音声及びビデオによるグリーティングはユーザーが静的なオンライン個人広告をより充実させることを可能にし、それによって視聴者により多くの情報が伝達され関心が高まる。例えば、視聴者はビデオによるグリーティングの付いた個人広告をクリックすることによりその個人広告を提出した人のビデオを視聴することができる。そのような音声及びビデオを収録したクリップは個人広告以外の広告または個人的に記述したアイテムを充実させるために用いることも出来る。
【００１３】
ユーザーはオンライン個人広告を提出してあれば、その広告に音声またはビデオ(或いは両方)のコンテンツを付け加えることが出来る。音声のコンテンツを付け加えるには、ユーザーはウェブサイトにログオンし、自分の個人広告にアクセスするか個人広告を新規作成するかして、（例えばリンクやアイコンをクリックすることなどにより）音声収録を付け加えることをリクエストする。１つの実施形態によれば、ユーザーが音声収録を付け加えることをリクエストすると、ウェブサイトがユーザーに対し個人広告システムがユーザーからの音声クリップを収録するために電話をかける際に使用できる電話番号を入力するようリクエストする。別の実施形態によれば、音声クリップを収録するためにかける電話番号がユーザーに与えられる。更に別の実施例によると、ユーザーはコンピュータを利用せずに電話ベースのシステム構成要素に電話をかけて収録したコンテンツを付け加えたり管理したりしてもよい。
【００１４】
ユーザーが電話番号を提供し個人広告システムがその電話番号に電話をかけた場合は、ユーザーはその電話を受けてシステムからの音声によるプロンプトに従って電話を通じて音声収録を行うことが出来る。音声によるプロンプトの案内に従い、ユーザーは音声による収録コンテンツを付け加えたり、再生、編集または削除したり出来る。
【００１５】
視聴者が保存された音声による収録コンテンツを視聴する場合、ユーザーは例えば、サウンドクリップが利用可能で個人広告に添付されているということを示すアイコンをクリックしてもよい。ウェブページに埋め込まれた音声プレーヤーにより視聴者は直接音声によるグリーティングを聞くことが出来る。
【００１６】
広告にビデオを付け加えるには、ユーザーはウェブサイトにログオンし、個人広告にアクセスするか個人広告を新規作成し、例えばリンクやアイコンをクリックすることなどにより、その広告に音声収録を付け加えること（または添付すること）をリクエストする。１つの実施形態によれば、ウェブサイトはユーザーのウェブカメラを起動させる一方で、例えば収録、再生、編集及び削除のためのコントロールボタンを表示する。ユーザーはウェブカメラとコントロールボタンを用いて収録を行いビデオクリップを作成する。ビデオクリップを収録すると、ウェブサイトにアップロードされ、個人広告に添付したり、組み合わせたり、関連付けたり、または提携させたりすることによりその個人広告と関連して記憶される。別の実施形態によれば、ユーザーが収録したビデオファイルをウェブサイトにアップロードする。
【００１７】
視聴者が広告を視聴する場合は、ユーザーは、例えば、ビデオクリップが利用可能であるということを示すアイコンをクリックすることが出来る。ウェブページに埋め込まれたビデオプレーヤーにより視聴者は直接ビデオによるグリーティングを聞くことが出来る。
【００１８】
図１は本発明と一致するシステム及び方法に基く使用に好適なデータ処理システムで、符号１００を付したものを図示している。データ処理システム１００は２つのクライアントコンピュータ１０２及びインターネット１３０に接続しているサーバーコンピュータ１０４を含む。コンピュータ１０２と１０４はそれぞれ如何なる種類のデータ処理装置であってもよく、例えば汎用データ処理デバイス、パーソナルコンピュータ、相互接続した複数のデータ処理デバイス、携帯コンピュータデバイス、電子手帳、携帯電話または同様のデバイスなどの携帯通信デバイスである。クライアント１０２とサーバー１０４はインターネット上などの分散コンピュータ環境にあるコンピュータであってもよい。更にまた、システム内に、図１に示されたクライアント１０２及びサーバー１０４の他にクライアントやサーバーを追加して設けてもよい。
【００１９】
クライアント１０２は、中央演算処理装置（ＣＰＵ）１０６、マウスやキーボードなどの入出力（Ｉ／Ｏ）ユニット１０８、ランダムアクセスメモリ（ＲＡＭ）またはその他の情報やＣＰＵにより実行されるインストラクションを記憶するためのダイナミック記憶デバイスなどのメモリ１１０を含む。クライアント１０２はまた、バス１１４またはその他の通信メカニズムを介して相互に通信可能な磁気ディスクや光ディスクなどの補助的な記憶デバイスも含む。クライアント１０２はまた、ブラウン管（ＣＲＴ）や液晶ディスプレイ（ＬＣＤ）モニタ、ウェブカメラ（またはデジタルウェブカメラ）及び／またはマイクなどのオーディオ／ビデオ入力１１８を含む。
【００２０】
図１のシステム１００は、クライアントコンピュータ１０２のユーザーの所有であってもよい電話１２０も含む。サーバー１０４は公衆電話ネットワーク１２８を介して電話１２０に電話をかけて音声によるグリーティングを収録することが出来るし、電話１２０がサーバー１０４に電話をかけてもよい。更に、サーバー１０４は電話１２０に電話をかける別のシステム（図示せず）にコンタクトすることも出来る。図１に示したよりも数多くの電話１２０があってもよい。
【００２１】
本発明と一致するシステム及び方法の態様は、メモリ１１０に記憶されると記載されているが、当業者には理解出来るように、本発明と一致するシステム及び方法の全てまたはその一部は、例えばハードディスク、フロッピー（登録商標）ディスク及びＣＤ−ＲＯＭといった補助的な記憶デバイスのようなその他のコンピュータ可読の媒体、インターネットのようなネットワークから受信した搬送波、または既知の或いは今後開発されるその他の形式のＲＯＭ或いはＲＡＭに記憶したり、またはそこから読み取ったりすることも出来る。更にまた、データ処理システムの特定の構成要素が記載されているが、当業者には理解出来るように、本発明と一致する方法、システム及び製品を用いた使用に好適なデータ処理システムは、その他のまたは異なる構成要素を含むことも出来る。クライアント１０２は人間のユーザー、またはユーザーの代理人を含んでもよい。「ユーザー」という用語は人間のユーザー、ソフトウェア、ハードウェアまたはシステムを利用する如何なるエンティティをも指すことが出来る。
【００２２】
図１に示したように、クライアント１０２内のメモリ１１０はウェブサイトブラウザ１２２を含み、ウェブサイトブラウザ１２２は、一般的にインターネットまたはローカルエリアネットワークを含むその他如何なるネットワークをも含む分散環境で利用可能な情報またはデータを閲覧し易くするあらゆるプログラムまたはアプリケーションプログラム群であるアプリケーション１２２である。ブラウザアプリケーション１２２は主にデータを見ること、ダウンロードすること、及びデータ処理デバイス間で送信することを可能にする。ブラウザ１２２はその他の種類のアプリケーションであってもよい。好適なブラウザの一例としては、ワシントン州レドモンドのマイクロソフト社が販売しているインターネットエクスプローラ(がある。
【００２３】
図１にはブラウザ１２２が１つだけ示してあるが、システム１００においてはいくつのブラウザを用いてもよい。更に、クライアント１０２のメモリ１１０内に示してはあるものの、これらの構成要素は他の場所にあってもよく、例えば補助的記憶装置１１２や、別のクライアント１０２のような別のコンピュータにあってもよい。更にまた、これらの構成要素はハードウェアまたはソフトウェアとすることが出来るが、本発明に基く実施例は何か特定のハードウェア及び／またはソフトウェアの組み合わせに限定されるものではない。
【００２４】
図１にはまた、サーバー１０４がバス１１４を介して相互に通信するＣＰＵ１０６、入出力（Ｉ／Ｏ）ユニット１０８、メモリ１１０及びデータベース１２４を有する補助的記憶デバイス１１２を含むことが描写してある。メモリは、サーバーの機能を管理し、データベース１２４と交信する音声及びビデオによるグリーティングシステム１２６を
記憶することも出来る。データベースは個人広告のデータ記録に関する情報、関連するビデオファイル、オーディオファイルなどを記憶することが出来る。データベースはまた他の場所、例えばメモリ１１０内にあってもよい。サーバー１０４もまたクライアント１０２に関連して述べてきた構成要素の多くを有してもよい。お互いに関連して作動する数多くのサーバー１０４があってもよい。音声及びビデオによるグリーティングシステム１２６は、ソフトウェアやハードウェアまたはその組み合わせとして如何なる形で実施してもよく、数多くのコンピュータ間で分散化されていても良い。音声及びビデオによるグリーティングシステム１２６はいくつの構成要素、プロセス、スレッドなどであってもよい。
【００２５】
クライアント１０２とサーバー１０４は直接またはネットワークを介して通信することができ、通信回線に接続して及び／またはワイヤレス、またはその他如何なる通信方法でも通信出来る。通信は、既知のもの及び今後開発されるものを含め如何なる通信プロトコルを通じて行ってもよい。ネットワークは、図１に示してあるよりもより数多くのクライアント１０２とサーバー１０４から成ってもよく、クライアントとサーバーも図示したよりも多くの、または図示したものとは異なる構成要素を有してもよい。
【００２６】
収録した音声を掲載するには、ユーザーはクライアント１０２上のブラウザ１２２を用いてインターネットにアクセスし、サーバー１０４にログインして個人広告にアクセスするか新規作成することが出来る。するとサーバー１０４と音声及びビデオによるグリーティングシステム１２６は、ユーザーの所有である電話１２０の番号を求めるリクエストを送る。ユーザーはユーザーの所有である電話１２０の番号を提出出来る。ユーザーが電話番号をサーバー１０４に提出すると、サーバー１０４が電話１２０に電話をかけることが出来る。ユーザーは電話１２０を受け、サーバー１０４の提供する音声によるプロンプトに従って音声によるグリーティングを収録することが出来る。ユーザーが音声によるグリーティングを収録し終わると、収録した音声データファイルは個人広告と関連付けてサーバー１０４上のデータベースに記憶することが出来る。収録した音声コンテンツは他の方法でサーバー１０４に送ってもよく、例えばサーバーに電話をかけたり、マイクを用いて予め収録してある音声ファイルをサーバーにアップロードすることも出来る。１つの実施形態においては、ユーザーはコンピュータを利用せずに電話ベースのシステム構成要素に電話をかけて収録したコンテンツを付け加えたり管理したりしてもよい。
【００２７】
収録した音声を聞くためには、別のユーザーは例えば別のクライアント１０２上のブラウザ１２２を用いて音声によるグリーティングと関連する個人広告にアクセスする。そうすることにより、そのユーザーはサーバー１０４上の音声によるグリーティングにアクセスすることが出来る。サーバー１０４上の音声及びビデオによるグリーティングシステム１２６は、その音声によるグリーティングの音声データファイルを取り出すためにデータベースにアクセスし、インターネットを介してクライアント１０２に当該の音声によるグリーティングを送る。もしクライアント１０２が音声ファイルを再生するのに好適なアプリケーション、プレーヤーまたはプラグインを有していなければ、サーバー１０４はファイル再生のための埋め込み式アプリケーションやプレーヤーまたはプラグインを送ることも出来る。別の実施形態では、ユーザーが音声によるグリーティングを聞くにはコンピュータは必要なく、電話ベースのシステム構成要素（図示せず）に直接電話をかけて音声によるグリーティングを聞くことが出来る。
【００２８】
収録したビデオのコンテンツを掲載するには、ユーザーはクライアント１０２上のブラウザ１２２を用いてインターネットにアクセスしてサーバー１０４にログインし、個人広告にアクセスしたり新規作成したりすることが出来る。サーバー１０４上の音声及びビデオによるグリーティングシステム１２６はクライアント１０２上のウェブカメラを起動させ、ビデオによるグリーティングを収録、編集するためのコントロールを表示することが出来る。ユーザーは予め収録済みのビデオによるグリーティングをアップロードしてもよい。ユーザーがビデオによるグリーティングを収録し終わると、収録した音声データファイルは個人広告と関連付けてサーバー１０４上のデータベース１２４に記憶することが出来る。１つの実施形態では、音声、ビデオいずれの収録の場合であれ、収録されたコンテンツは直ちに一般視聴者のために掲載出来ない場合もある。コンテンツの掲載を遅らせて、一般の視聴者が見る前にコンテンツが適切かどうかを検閲するために音声及びビデオによるグリーティングシステム１２６に関して働いている内部検閲者へと送ることもで出来る。
【００２９】
収録したビデオコンテンツを見るには、別のユーザーは例えば別のクライアント１０２上のブラウザ１２２を用いてビデオによるグリーティングと関連する個人広告にアクセスする。そうすることにより、そのユーザーはサーバー１０４上のビデオによるグリーティングにアクセスすることが出来る。サーバー１０４上の音声及びビデオによるグリーティングシステム１２６は、そのビデオによるグリーティングのビデオデータファイルを取り出すためにデータベース１２４にアクセスし、インターネットを介してクライアント１０２に当該のビデオによるグリーティングを送る。もしクライアント１０２がビデオファイルを再生するのに好適なアプリケーション、プレーヤーまたはプラグインを有していなければ、サーバー１０４はファイル再生のための埋め込み式アプリケーションやプレーヤーまたはプラグインを送ることも出来る。
Ａ．音声によるグリーティングの構成と実施
図２乃至図１１はインターネットサイトにおいて個人広告に情報を添付するための１つの実施形態を図示している。１つの好適な個人広告ウェブサイトは、カリフォルニア州サニーベールのYahoo!社の「Yahoo!パーソナルズ」から成る。そのようなビデオによるグリーティングの実施により、ユーザーは例えば３０秒のグリーティングといった所定の長さの音声によるグリーティングを収録し、収録した音声によるグリーティングをユーザーの個人広告に添付することが可能になる。そのような実施の実現にあたっては、ユーザーの個人広告用に音声プレーヤーがウェブページに埋め込まれており、人々が広告内に直接埋め込まれた音声によるグリーティングを聞くことを可能にする。
【００３０】
1つの構造によれば、ユーザーは音声によるグリーティングを収録する機能を有効にする前にまず（例えばYahoo!社のウェブサイトなどの）サービス提供会社のウェブサイトに個人広告を提出するように要求される。別の実施形態によれば、ユーザーはサービス提供会社のウェブサイトの加入者にならなくても音声によるグリーティングを収録することが出来る。
【００３１】
図２は、個人広告ページ１５０がYahoo!パーソナルズのような個人広告サービス提供会社に接続されたクライアントまたはインターネット使用可能なコンピュータの一般的なブラウザ１５２内で表示されたところを図示したものである。より詳しくは、個人広告のプロフィールのページ１５０は個人広告サービス提供会社に個人広告を提出したユーザーの個人情報をカテゴリー別に表示したものである。個人広告のプロフィールのページ１５０は個人広告サービス提供会社のウェブサイトから取り出される。過去においてはそのような個人広告のプロフィールのページ１５０には、相性が合うと思われる相手がページ１５０のコンテンツを見る時に、利用可能なように1枚もしくはそれ以上の写真が提供されていた。しかしながら、ここに提示する新規の態様により、ユーザーが検討する個人広告に関して、相手との相性についてそのような情報を検討する者がより良い判断をすることが可能になるようなビデオ及び音声によるグリーティング機能が更に設けられた。
【００３２】
より詳しくは、個人広告のプロフィールのページ１５０には更にビデオによるグリーティングテキストリンク１５４と音声によるグリーティングテキストリンク１５６という機能がある。ビデオによるグリーティングテキストリンク１５４には「いますぐにビデオによるグリーティングを添付しよう！」というタイトルがつけられている。音声によるグリーティングテキストリンク１５６には「いますぐに音声によるグリーティングを添付しよう！」というタイトルがつけられている。クライアントにおいてマウスなどの触知性入力デバイスを用いてテキストリンク１５４を選択すると、ユーザーは図３の画面表示へと進むことになる。触知性入力デバイスを用いてテキストリンク１５６を選択すると、ユーザーは図１２に図示した画面表示へと進むことになる。
【００３３】
個人広告に添付出来るタイプの音声またはオーディオ情報をより理解し易くするために概要を説明する。「音声によるグリーティング」という用語はユーザー個人が自分の広告を見る第三者のために広告に提示している情報を充実させるために個人広告に掲載することの出来る構成要素のことである。音声によるグリーティングは、広告を掲載するユーザー個人が個人広告サービス提供会社の電話システムを介して３０秒の音声クリップなど所定の長さの音声クリップを収録することを可能にする。
【００３４】
更なる有益な機能としては、音声によるグリーティングは個人広告を出しているユーザー個人が提出した後個人広告サービス提供会社によって承認される。１つのケースでは、Yahoo!パーソナルズのシステム上で個人広告を掲載するには、好ましくない及び／または違法なコンテンツはないかヤフーの社員が音声クリップを検閲し、音声によるグリーティング（またはクリップ）をヤフーのウェブサイトにて提示することを承認するかどうか決定することを必要とする。
【００３５】
音声によるグリーティングの提出及び承認に際しては、ユーザーはまずサービス提供会社のウェブサイトに個人広告を掲載する。ユーザーはその後に自分の個人広告に音声によるグリーティングを追加添付することが出来る。しかしながら、音声によるグリーティングはユーザーの個人広告がサービス提供会社のウェブサイトを管理する社員により検閲、受諾されて初めて、サービス提供会社のウェブサイト上で利用可能なように提供される。このようにしてサービス提供会社によるコンテンツ管理を実施できる。例えば、子供が見るのに好ましくない挑発的な性質の性的なコンテンツにはこのようにしてフィルターをかけることが出来る。更にまた、違法行為に関連するコンテンツの承認及びサービス提供会社のウェブサイトへの掲載を拒否することが出来る。
【００３６】
検閲のために音声によるグリーティングを提出すると、ユーザーは自分の個人広告メールボックスに届く電子メールで通知を受ける。その後サービス提供会社の検閲システム内の管理者によりグリーティングが受諾または拒否されると、その旨の電子メールがユーザーの個人広告メールボックスに送られてくる。ユーザーマネージメントツール（ＵＭＴ）のコンテクストでは、音声によるグリーティングは別の待ち行列で管理者により検閲される。
【００３７】
図３乃至図８はユーザーの個人広告に音声によるグリーティングを掲載する際のステップを図示している。より詳しくは、図３は音声によるグリーティングを掲載する際の必要条件及びそのような音声によるグリーティングを収録するためのステップについてユーザーに知らせる音声によるグリーティングスプラッシュページ１５８を図示している。ユーザーは音声によるグリーティングを掲載するための必要条件を特定するためにページ１５８へと進む。
【００３８】
図３に示すように、音声によるグリーティングスプラッシュページ１５８は一般的なブラウザフレーム１５２内に示され、音声によるグリーティングバナー１６０を含む。音声によるグリーティングバナー１６０内の「次へ」ボタン１６２は図４の画面表示へと進むリンクを提供している。埋め込み式オーディオプレーヤー１６４内に音声によるグリーティングのサンプルが提供されており、埋め込み式オーディオプレーヤー１６４はスタートボタン１６６とストップボタン１６８を含む。指示セット１７０は音声によるグリーティングの収録に必要な５つの簡単なステップを説明する文章での指示を含む。
【００３９】
１つの実施形態によれば、ユーザーが個人広告に音声によるグリーティングを掲載出来るようになる前にユーザーに課される事前の必要条件がある。まずユーザーは個人広告サービス提供会社のウェブサイトに既に広告を出していなければならない。そのような実施形態によれば、未完成の広告を準備してあればユーザーは音声によるグリーティングを収録することを許可されるが、当該広告が実際にウェブサイトに掲載されるまで音声によるグリーティングは掲載されない。次にユーザーは、個人広告サービス提供会社がユーザーの音声によるグリーティングを収録するためにユーザーにアクセスするための電話及び電話番号を所有していなければならない。
【００４０】
図４は、（図３の）「次へ」ボタン１６２をユーザーが選択すると開く「自分のグリーティングをプランする」のページ１７２を図示している。より詳しくは、文章での指示セット１７４に音声によるグリーティングを収録するプロセスで用いる個人的なメモを準備し収録するためのエントリーボックス１７８の使用方法について詳しく記述してある。「簡単なヒント」の文章での指示セット１７６に音声によるグリーティングを準備し収録する際の更なるヒントが書いてある。（キーボードなどの）入力デバイスも用いてエントリーボックス１７８に入力されたテキストのメモは、ユーザーが音声によるグリーティングを準備するのを支援するため収録プロセスの間中ずっとアクセス可能となっている。ユーザーは「次へ」ボタン１８０により図５の画面表示へと進むことが可能である。「キャンセル」ボタン１８２によりユーザーは音声によるグリーティングを収録するためのプロセスを中止することが可能である。
【００４１】
ページ１７２で実行されるステップは、インターネット上で利用可能になる、個人広告に添付された音声によるグリーティングを準備し作成した際の初めのステップから成る。オーディオ収録プロセスの最初のステップとして、ユーザーは音声によるグリーティングの中で自分が言いたいことを記述した個人的なメモをタイプ入力することが出来る機会を与えられる。１つの実施形態によれば、この機能はオプション機能であり、ユーザーは「次へ」ボタン１８０を選択するだけでこれを省略し図５に示した次のページへと進むことができる。従って、ユーザーは必ずしもこのノート機能を用いる必要はなく、図５に示した次のステップに進む前にエントリーボックス１７８にテキストを入力しなくてもよい。
【００４２】
ユーザーが個人的なメモをメモエントリーボックス１７８に入力することを選択すると、ユーザーがグリーティングを収録している間ユーザーのメモが図５に示すページに表示される。そのようなメモが図５のエントリーボックス１９２内に示してある。
【００４３】
グリーティングを作成中に更にインスピレーションが必要な場合は、「更なる質問」のテキストリンク１７９をクリックすれば、ユーザーがグリーティングで何を言ったらよいかを決める助けになるように設定した質問が更に書いてあるポップアップウィンドウ（図示せず）が開く。
【００４４】
図５は音声によるグリーティングを掲載するための第２のステップを図示したもので、個人広告サービス提供会社がユーザーに音声によるグリーティングを収録するよう指示するためにユーザーに電話をかけるための電話番号を入力することを可能にする「自分の情報を入力する」のページ１８４である。前述のように、ユーザーが（図４の）メモエントリーボックス１７８に個人的なメモを入力した場合は、図５のエントリーボックス１９２内にそのメモが表示される。
【００４５】
ユーザーがダイヤルアップによるインターネットサービスプロバイダ（ＩＳＰ）のアクセスを使って個人広告サービス提供会社のウェブサイトに接続する場合は、ユーザーはモバイル（または携帯）の電話番号を音声によるグリーティング収録のために提供することが推奨される。このテクニックによりユーザーが自分のクライアントコンピュータを介してインターネットにアクセスしながらモデムとインターネットとの接続を切断せずに音声プロセスを完了することが可能になる。
【００４６】
図５に示すように、「戻る」ボタン１８５はユーザーが図４の画面表示に戻ることを可能にする。ユーザーが自分の情報を入力することを支援するため、情報は３つのカテゴリー別にユーザーに提示される。即ち、「自分の情報」の指示セット１８６、「自分のメモ」指示セット１９０及び「単語による認証」指示セット１９４である。
【００４７】
「自分の情報」の指示セット１８６は、図６に示すステップを完了した後個人広告サービス提供会社の自動収録システムがユーザーに電話をかけられるようユーザーに自分の電話番号を入力する指示を与える。その後サービス提供会社は音声収録システム全体にわたりユーザーを案内していく。ユーザーがキーボードやマウスなどの入力デバイスを用いて自分の電話番号を入力する電話番号エントリーボックス配列１８８が設けられている。現在存在する市外局番及び電話番号の一部、例えば市外局番９００の電話番号などを無効とし、ユーザーは入力することが出来ないようにすることが出来る。
【００４８】
前述のごとく、「自分のメモ」エントリーボックス１９２は音声によるグリーティングを収録する際のユーザー支援のために用いられる、以前に入力された個人的なメモを表示する。
【００４９】
「単語による認証」指示セット１９４は、図６に示す機能まで音声によるグリーティングプロセスを進めるためにユーザーに単語による認証チェックを求める。より詳しくは、「単語による認証」エントリーボックス１９６が設けられており、ユーザーは単語ボックス１９８に提示されている単語２００を目で見てエントリーボックス１９６に特定しなければならない。ユーザーは単語２００を目で見て理解すると、ユーザーが正当であることを確認するため且つサービス提供会社のサービスの乱用を防ぐために、その単語をボックス１９６に入力する。そのような単語による認証システムは現在当業技術分野ではよく知られている。
【００５０】
「次へ」ボタン２０２によりユーザーは図６に示す画面表示へと進むことが可能である。ユーザーは「キャンセル」ボタン２０４によりプロセスを中止することが出来る。
【００５１】
図６は音声によるグリーティングを個人広告サービス提供会社のウェブサイトに掲載するための第３のステップを図示している。より詳しくは、「グリーティングを収録する」のページ２０６によりユーザーは以前に入力した電話番号を確認することができ、サービス提供会社はユーザーのその番号へ電話をかけることが可能である。ユーザーは図４の画面表示内に表示された電話番号及び以前に入力した個人的なメモがあればそのメモも目で見ることが出来る。ユーザーが間違った情報を見つけた場合は、ユーザーは「戻る」ボタン２０１で図５の画面表示へと戻ることが可能である。メモが間違っている場合には、ユーザーは図５の「戻る」ボタン１８５を選択して更に図４の画面表示へと戻ることが出来る。このようにして、ユーザーは以前に入力した電話番号及び個人的なメモを編集することが出来る。
【００５２】
ユーザーがページ２０６に表示された情報を承認する場合は、ユーザーはその後「いますぐに電話をして欲しい」ボタン２１６をクリックしてオーディオ（または音声）収録プロセスを開始する。この選択をすると、個人広告サービス提供会社の電話システムに対しこのページ２０６に提供された電話番号に電話をかける必要がある旨の警告が出される。
【００５３】
図６に示すように、「最終ステップ」の指示セット２０８は以前に入力された電話番号を表示し、またユーザーが選択ボックス２１０を介してユーザーのコンピュータ（クライアント）と電話が共通の電話回線を使っているか及びユーザーが携帯電話を持っているか否かを特定することを可能にする。選択ボックス２１０をチェックすることにより、ユーザーは音声によるグリーティングを収録するためにサービス提供会社からかかってくる電話を受けるには電話モデムの接続を切断しなければならないことを了解することになる。
【００５４】
「自分のメモ」の指示セット２１２はユーザーが音声収録プロセスに先立って、及び収録の最中に見ることができるように以前に入力された個人的なメモを表示する。より詳しくは、そのような個人的なメモは「自分のメモ」エントリーボックス２１４に表示される。
【００５５】
ここで音声収録プロセスを終了したい場合、ユーザーは「キャンセル」ボタン２１８を選択し、サービス提供会社のウェブサイト上の個人広告に音声によるグリーティングを掲載するプロセスを終了させることが出来る。ユーザーが「いますぐに電話をして欲しい」ボタン２１６を選択すると、図７の画面表示へと進む。より詳しくは、図７は個人広告に音声によるグリーティングを掲載するための第４のステップを図示している。「通話状況」のページ２２０は、「電話を受ける」の指示セット２２２及び「自分のメモ」の指示セット２２４を含む。ページ２２０には、以前に入力されたユーザーの電話番号にサービス提供会社がかけている電話の通話状況が記載されている。ユーザーが電話とコンピュータで共通の電話回線を使っている場合は、サービス提供会社からの電話を無事に受けるために、この時点で電話モデムの接続は切断される。以前に提供されたユーザーの電話番号へサービス提供会社がかけた電話が無事にかからなかった場合は、ページ２２０は元に戻り、ユーザーに電話を受けるためにモデムの接続を切る旨のに催促を表示する。ページ２２０を表示する一方で、サービス提供会社のシステムは電話システムに切り替えて提供されたユーザーの電話番号に電話をかける。電話を使って、特定されたステップを完了すると、電話を切った後にユーザーは図７のページ２２０に示す画面に戻り、その後「終了」ボタン２２８を選択してプロセスを終了する。
【００５６】
図７のページ２２０に示すように、「電話を受ける」の指示セット２２２には音声によるグリーティングを収録するためにサービス提供会社からの電話を受けるための４つのステップが記載されている。図７には図示されていないが、「自分のメモ」の指示セット２２４は、音声によるグリーティング収録の最中にユーザーが使用できるようメモを再び表示するための「自分のメモ」エントリーボックス２２６を含む。収録を終えたら、ユーザーは「終了」ボタン２２８を選択するだけで収録プロセスを完了することが出来る。
【００５７】
（図６の）「いますぐに電話をして欲しい」ボタン２１６をクリックし且つモデムの接続を切断した後で、必要に応じて（Yahoo!などの）個人広告サービス提供会社からユーザーに電話がかかってくる。電話に出ると、サービス提供会社の録音電話サービスの挨拶が流れ、ユーザーは音声によるグリーティングを収録するために電話のプッシュボタンの数字「１」を押すよう求められる。その後電話からビープ音が聞こえ、ユーザーは自分の音声によるグリーティングを読み上げるよう求められる。１つの実施形態によれば、自分のグリーティングを収録し終わったら、ユーザーは電話のプッシュボタンのシャープの記号（＃）を押さなければならない。その後で「保存するには１を押して下さい」、「収録した音声によるグリーティングを聞くには２を押して下さい」及び「収録し直すには３を押して下さい」というオプションの案内が聞こえてくる。
【００５８】
ユーザーは自分のグリーティングを聞いたり、聞いた後でグリーティングが気に入らなければ収録し直したり出来る。ユーザーが音声によるグリーティングの収録をやり直すのは最大で１５回までと制限されている。ユーザーが自分の収録した音声によるグリーティングに満足しそれを保存することを選ぶと、ユーザーのグリーティングはサービス提供会社の管理社員が音声によるグリーティングの内容がサービス提供会社のウェブサイトに掲載するのに適切であり受諾可能なものであるかどうかを検閲する検閲プロセスにかけられることを音声でユーザーに再び伝え、、それから電話システムの通話が切れる。
【００５９】
図８は音声によるグリーティングを掲載するための第５のステップを図示しており、「確認」ページ２３０は検閲及び受諾または拒否のために音声によるグリーティングが適切にサービス提供会社に提出されたことを確認するためにユーザーに提示される。ユーザーが適切に音声によるグリーティングを収録し電話を終えると、ユーザーは提示された状況ページの「終了」ボタン２２８（図５乃至図７参照）をクリックする。ユーザーがそのような選択をすると、図８のページ２３０に図示する「確認」画面へと進む。するとユーザーの音声によるグリーティングがサービス提供会社のウェブサイトに提出されたことを確認する電子メールがユーザーの個人広告メールボックスに送られて来る。
【００６０】
図８に示すように、ページ２３０はサービス提供会社の検閲のために音声によるグリーティングが無事に送られたことをユーザーに伝える「おめでとうございます！」の指示セット２３２を含む。「いますぐに加入する」のテキストリンク２３４により、ユーザーはサービス提供会社のウェブサイトで見た広告に返事をすることが出来るようになるサービスに加入することが可能である。「個人広告メールボックス」のテキストリンク２３６により、ユーザーは検閲と承認のために提出されたユーザーの音声によるグリーティングの状況を知らせる電子メールを受け取る個人広告メールボックスの電子メールアドレスを確認することが可能である。
【００６１】
図９は、音声によるグリーティングを編集したり個人広告から音声によるグリーティングを削除したりするための手続きを開始する「削除オプション付きグリーティングのプレビュー」のページ２３８を図示している。個人広告に追加添付され掲載された音声によるグリーティングを編集するためには、ユーザーは個人広告サービス提供会社のウェブサイトにサインインする。個人広告のホームページ（図１９に示すページと類似のものだが、音声によるグリーティングのためのページ）が開き、そのページには自分の個人広告を編集するためのリンクが設けられている。ユーザーが「編集する」のリンクをクリックすると、「広告を編集する」のページへと導かれる。
【００６２】
編集のホームページの画面から、ユーザーはそのページに載っているユーザーの写真の上の「音声を編集する」のリンクをクリックすることが出来る。そこから、ユーザーは新規のグリーティングを収録するプロセスについてまたは単に既存のグリーティングを削除することについて知らされる。新規のグリーティングを収録するには、ユーザーは既存のグリーティングを削除しなければならない。１つの実施形態によれば、ユーザーは自分の広告上に１つしか音声によるグリーティングを掲載することが出来ない。
【００６３】
図９に示すように、画面２３８は「自分の音声によるグリーティングを編集する」の指示セット２４０を含む。指示セット２４０は現在掲載されている音声によるグリーティングを特定すると共に、グリーティングの新規収録のための指示、現在のグリーティングの削除、及びグリーティング維持の手続きを特定する。既存の音声によるグリーティングを再生するためにオーディオプレーヤー２４２が設けられている。オーディオプレーヤー２４２は、音声によるグリーティングの再生開始と再生停止を可能にする「スタート」ボタン２４４及び「ストップ」ボタン２４６を含む。「キャンセル」ボタン２４８によりユーザーはプレビューを中止することが出来る。ユーザーは「削除」ボタン２５０により自分の音声によるグリーティングを削除することが出来る。より詳しくは、ボタン２５０を選択すると図１０に示す確認画面へと進み、ユーザーは本当に自分の音声によるグリーティングを削除したいか尋ねられる。そこでユーザーが音声によるグリーティングを削除することを選択すると、音声によるグリーティングはシステムから削除され、図９に示す、その前の広告を編集するの画面に戻る。図９に示す画面から、ユーザーは「音声を付け加える」のリンク（図示せず）を選んでグリーティングの新規作成のプロセスへと進むことが出来る。
【００６４】
図１０は、音声によるグリーティング削除のための「確認」ページ２５２を図示している。ページ２５２は、ユーザーに本当に自分の音声によるグリーティングを削除したいですかと尋ねる「自分のグリーティングを削除する」の指示セット２５４を含む。自分のグリーティングを削除したくないと決めた場合、ユーザーは「いいえ」ボタン２５６を選択する。本当に自分の音声によるグリーティングを削除したい場合は、ユーザーは「はい」ボタン２５８を選択する。
【００６５】
無事に音声によるグリーティングを収録し終わると、自分の個人広告に音声によるグリーティングを掲載したユーザーは図１１に示すように、自分の個人広告へと進むことによりその音声によるグリーティングを聞くことが出来る。
【００６６】
図１１は、クライアントを介してインターネット上でアクセス可能なユーザーの個人広告のための「個人広告」ページ２６０を図示している。サービス提供会社のウェブサイトにアクセスするインターネットの利用者は誰でも、仲間、結婚相手、友人または恋人として相性が合うと思われる相手かどうかを見極めるべくユーザーの個人情報を検討するために「個人広告」ページ２６０にアクセスすることが出来る。図１１に示すように、ページ２６０は既に収録され承認された、ユーザーの個人広告に掲載された音声によるグリーティングを別のユーザーが再生することを可能にする「音声を再生する」のアイコンボタン２６１を含む。従って、ユーザーが収録した音声によるグリーティングを自分の個人広告に無事に掲載出来た場合は、図１１に示すようにユーザーの個人広告の詳細ページに「音声を再生する」のアイコンボタン２６１が表示される。更に、掲載されている個人広告で自らとの相性が合う条件を満たすものを特定するために、複数の個人広告の文章の情報を検索する第三者ユーザーに提示される「検索結果」のページ（図示せず）でより小さなサイズの広告も利用可能である。
【００６７】
ユーザーは検索結果（図示せず）の中の写真の下に設けられた音声アイコンをクリックすることにより検索結果から音声によるグリーティングを再生することが出来る。図１１に示すように、この機能により広告の詳細画面が開き、音声によるグリーティングが再生される。ユーザーはまた図１１に示すページ２６０の写真（オプション）の上に設けられた「音声を再生する」のアイコンボタン２６１を利用して広告の詳細から音声によるグリーティングを再生することも出来る。
【００６８】
音声によるグリーティングを再生したら、図９に示すようにユーザーはリンクを閉じる「ストップ」ボタン２４６をクリックすることでメインの写真のページに戻ることが出来る。リンクを閉じると、画面は更新され、メインの写真のページ（図示せず）に戻る。
【００６９】
図１１に示す個人広告ページ２６０には、個人情報を自らの個人広告に掲載しているユーザーの特徴を特定するための個人広告文章データ２６２が特定のカテゴリーに基いて提供されている。文章データ２６２はボタン２６１を選択することにより提供される音声によるグリーティングを補完するものである。そのような文章による情報は、個人広告を掲載しているユーザーと自らとの相性を見極めようとする第三者が検索可能である。従って、文章データ２６２はインターネット上に分散化されているクライアントでサービス提供会社のウェブサイトを介して第三者が見ることが出来る。「電子メールで返事をする」のボタン２６４により、第三者ユーザーはページ２６０に個人情報が表示されているユーザーに返事をすることが可能である。広告を見る第三者ユーザーは「広告を保存する」ボタン２６６により、後で再び見るため、及び両者間の相性をより良く見極めるべく個人広告を掲載したユーザーの文章データと個人情報を更に詳しく調べるために広告を別個のメモリまたはフォルダに保存することが可能である。
【００７０】
ユーザーの音声によるグリーティングの収録中に、サービス提供会社のウェブサイトがいくつかのタイプのエラーメッセージを出すことがある。１つのケースでは、市外局番または電話番号がサービス提供会社のシステムにサポートされず、その場合その旨のエラーメッセージがユーザーに再度送られ、ユーザーは別の電話番号を入力するよう求められる。別のケースでは、単語による認証が正しくなく、その旨のエラーメッセージがユーザーに再度送られ、ユーザーは新規の単語による認証手続きを再度行うよう求められる。更に別のケースでは、特定された電話番号が通話中となり、その場合は「通話状況」のページに戻り、システムがユーザーに電話をかけようと試みているものの、サービス提供会社からの電話を受けるにはユーザーが通話を終わらせるかモデムの接続を切断しなければならないことが伝えられる。更に別のケースでは、ユーザーは音声によるグリーティングを作成し追加添付する前にまず広告を掲載するよう求められ、システムは音声によるグリーティングを収録する前に広告を掲載しなければならないことを知らせるページにユーザーをリダイレクトすることが出来る。更に別のケースでは、音声によるグリーティングを収録するのに技術的な問題がある場合収録がうまくいかないこともある。この場合は、「収録が出来ませんでした」のページが開き、グリーティングが収録出来なかったことをユーザーに知らせる。最後に、プロセスのどの時点であれユーザーが「キャンセル」ボタンをクリックした場合は、「収録取り消し」の通知が送られ、「収録取り消し」のページへと導かれ、ユーザーは収録プロセスを中止したいか尋ねられる。
【００７１】
図１２は、ユーザーが自分の音声（またはビデオ）グリーティングを収録する前に個人広告を掲載していない場合に表示される「エラー」ページ２６８を図示している。「広告を掲載する」のバナー２７０がページ２６８に提示されている。バナー２７０は、個人広告を作成出来るページに戻ってユーザーが広告を掲載出来るようにする「広告を掲載する」ボタン２７２を含む。
【００７２】
図１３は「収録が出来ませんでした」の指示セット２７６を含む「収録が出来ませんでした」のページ２７４を示している。指示セット２７６は、音声収録がうまくいかなかったので戻って再度音声によるグリーティングを収録する必要があることをユーザーに伝える。「グリーティングを取り消す」ボタン２７８により、ユーザーはグリーティングを取り消すことが出来る。「自分のグリーティングを収録する」ボタン２８０により、ユーザーは自分の音声によるグリーティングの再収録を試みることが出来る。
【００７３】
図１４は、自分の音声によるグリーティングを取り消したいという意思を確認するようユーザーに求める「収録取り消し」の指示セット２８４を含む「収録取り消し」のページ２８２を図示している。ユーザーの意思がはっきりしない場合は、ユーザーは「いいえ」のボタン２８６を選択して収録を終えることが可能である。収録を中止したいというユーザーの意思がはっきりしている場合は、ユーザーは「はい」のボタン２８８を選択し収録を中止することが出来る。
B．ビデオによるグリーティングの構成と実施
図１５乃至図２２は、サービス提供会社のウェブサイトを介してインターネット上で利用可能な個人広告に追加添付されるビデオ収録の作成のテクニックを図示している。図２３乃至図２５は、収録がうまくいかなかった場合またはユーザーが収録を中止したい場合を特定するエラーメッセージ及びインジケータを図示している。より詳しくは、図１５はビデオによるグリーティングスプラッシュページ２９０であり、ページ２９０内で「ビデオによるグリーティング」のバナー２９２がユーザーに提示される。バナー２９２は、クリックすると図１６に示す画面表示へと導きビデオによるグリーティング収録のプロセスを開始する、「続ける」ボタン２９４を含む。ページ２９０は、広告の掲載、グリーティングのプランニング及びビデオによるグリーティングの収録のための３つの簡単なステップを特定する３ステップの指示セット２９６を含む。ページ２９０はまた、「スタート」ボタン３００と「ストップ」ボタン３０２を含むビデオプレーヤー２９８をも含む。「スタート」ボタン３００を選択すると、ビデオによるグリーティング（及び付随のオーディオメッセージ）の再生が開始される。「ストップ」ボタン３０２を選択するとビデオによるグリーティングの再生が停止される。
【００７４】
ビデオによるグリーティングは、ユーザーが個人広告サービス提供会社のウェブサイト上に提示された個人広告を充実させる新しいテクニックを提供する。ビデオによるグリーティングにより、ユーザーは、例えば３０秒のビデオによるグリーティングといった一定時間のビデオによるグリーティングを収録し、ユーザーの個人広告に添付することが出来る。そして、ビデオプレーヤーがユーザーに関連するウェブページに埋め込まれ、第三者はユーザーの個人広告内のグリーティングを直接見ることが出来る。音声によるグリーティングと同様に、ビデオによるグリーティングは社員による検閲及び承認を受けるために、サービス提供会社のウェブサイトで提出される。従って、提示される資料の適合性は検閲され、ウェブサイトへの掲載が承認或いは拒否される。
【００７５】
１つの実施形態によれば、個人広告を出しているユーザーのみがビデオによるグリーティングを収録できる。しかしながら、ユーザーは、ビデオによるグリーティングを収録するためにそのサービス提供会社の加入者になる必要はない。
【００７６】
ビデオによるグリーティングは、個人広告を出しているユーザーが自身の個人広告に付け加えることができる構成要素であると理解できる。ビデオによるグリーティングにより、ユーザーは、好ましくはインターネットに接続しているユーザーのホームコンピュータ（またはクライアント）に関連している自分のウェブカメラとマイクを使って、ある一定時間（例えば３０秒）のビデオクリップを収録できる。
【００７７】
１つの実施形態によれば、ユーザーがすでにサービス提供会社のウェブサイトに個人広告を掲載している場合、ビデオによるグリーティングを掲載する。しかしながら、ユーザーは、個人広告が有効になりサービス提供会社のウェブサイト上で見られるようになるまで、ビデオによるグリーティングを掲載することは出来ない。前述のように、ビデオによるグリーティングは音声によるグリーティングが提出されるのと同様に、検閲のためにサービス提供会社の社員へと提出される。ビデオによるグリーティングを提出すると、ユーザーはその後電子メールで通知を受け、更にビデオによるグリーティングが受諾または拒否されると、その旨の電子メールが送られてくる。「ユーザーマネージメントツール」（ＵＭＴ）の場合、ビデオによるグリーティングは、別の待ち行列で検閲される。
【００７８】
図１６は、「言うことをプランする」のページ３０４から成る、ビデオによるグリーティングを掲載するための初めのステップを図示している。ページ３０４は、ユーザーがビデオによるグリーティングを作成するのを支援するメモをとるための指示を与える「自分のメモ」の指示セット３０６を含む。また、ページ３０４は、ビデオによるグリーティングを収録するための簡単なヒントを提供する「簡単なヒント」の指示セット３０８を含む。ユーザーは「自分のメモ」エントリーボックス３１０を使い、例えばキーボード及び／またはマウスといった入力デバイスを用いてビデオによるグリーティングを収録する際に使用する個人的なメモを入力することが出来る。前述のように、指示セット３０６、指示セット３０８、ボックス３１０は、音声によるグリーティングを収録する際の機能に類似している。「キャンセル」ボタン３１２によりユーザーはビデオによるグリーティングを収録するためのプロセスを中止することが可能である。ユーザーは「次へ」ボタン３１４により、ビデオを提出するため、図１７の画面表示へと進むことが可能である。
【００７９】
図１６に示すように、初めのステップでは、ユーザーはビデオによるグリーティングを掲載する際の必要条件及びビデオによるグリーティングを収録する際に必要となるステップについてユーザーに知らせる「ビデオによるグリーティングスプラッシュ」のページ３０４へと進む。
【００８０】
１つの実施形態によれば、以下のことが必要とされる。ユーザーは、まず、個人広告サービス提供会社のウェブサイト上に広告を掲載しなければならない。しかしながら、ユーザーは、個人広告が未完成であってもビデオによるグリーティングを収録することが出来るが、個人広告がサービス提供会社のウェブサイトに掲載されるまで、ビデオによるグリーティングは掲載されない。次に、ユーザーはウェブカメラとマイクが必要となる。１つの実施形態によれば、ユーザーは以前に収録したグリーティングをアップロードすることは出来ない。しかしながら、他の実施形態では、ユーザーは以前に収録したグリーティングをアップロードすることが出来るものもある。
【００８１】
図１７によれば、ビデオによるグリーティングをプランする第２のステップが、「ビデオによるグリーティングを収録して提出する」のページ３１６によって図示されている。ページ３１６は、「自分のビデオによるグリーティングを収録する」の指示セット３１８及び（関連するオーディオレコーダー及びレコーダーを含む）ビデオプレーヤー／レコーダー３２０を含む。ユーザーは「戻る」ボタン３１７によって図１６の画面表示に戻ることが出来る。ビデオプレーヤー／レコーダー３２０は、ビデオによるグリーティングの再生を開始する「スタート」ボタン３２２及びビデオによるグリーティングの再生を停止する「ストップ」ボタン３２４を含む。ビデオストリームが利用可能になると、ビデオプレーヤーはビデオレコーダーになり、更に収録ボタンが提示される。好適なビデオプレーヤー／レコーダー３２０の一例としては、ワシントン州レドモンドのマイクロソフト社が提供しているウィンドウズ（登録商標）メディアプレーヤー(９シリーズがある。しかし、ビデオ及びオーディオ構成要素から成る他の類似したビデオプレーヤー／レコーダーを使用することも出来る。
【００８２】
「自分のメモ」エントリーボックス３２６は、図１６のボックス３１０に以前に入力された個人的なメモを表示する。そのようなメモが入力されていない場合には、図１７のボックス３２６には何も表示されない。「簡単なヒント」の指示セット３２８は、簡単なヒントの一覧及びビデオによるグリーティングが拒否される理由を提供する。「キャンセル」ボタン３３０によりユーザーはビデオによるグリーティングの収録及び提出を中止することが出来る。ユーザーは「次へ」ボタン３３２により、図１８に図示された画面表示に進むことが可能である。
【００８３】
図１７に示すように、ユーザーはビデオによるグリーティングをプランするため、ビデオ収録プロセスの第二のステップへと導かれる。（図１６の）ページ３０４を使用することで、ユーザーはビデオによるグリーティングの中で自分が言いたいことについて、個人的なメモを（ボックス３１０に）タイプ入力する機会を与えられる。このメモは図１７のボックス３２６に表示される。しかしながら、音声収録についての記述で前述したように、そのような機能はオプションである。ユーザーは必ずしもそのような機能を用いる必要はなく、図１７に示した次のステップに進む前にメモを入力しなくければならない、という要求はない。
【００８４】
ユーザーがメモを図１６のボックス３１０に入力することを選択した場合、メモはビデオによるグリーティングを収録する図１７のボックス３２６に表示される。ビデオによるグリーティングの概要をテキストで記述する際に支援やインスピレーションが必要な場合は、「更なる質問」のリンク３０７（図１６参照）をクリックすれば、ユーザーがビデオによるグリーティングで何を言ったらよいかを決める助けになる質問が更に書いてあるポップアップウィンドウ（図示せず）が開く。
【００８５】
サービス提供会社のガイドラインについて追加情報が必要な場合には、ユーザーは図１６の右コラムの下の部分にあるボタンの「ガイダンスを見る」のテキストリンク３１１をクリックすることが出来る。ビデオによるグリーティングをどのように収録するかについて更なるヒントが必要な場合には、ユーザーは同じく右コラムの下の部分にあるボタンの「更なるヒント」のテキストリンク３０９をクリックすることが出来る。
【００８６】
図１７のページ３１６は、ユーザーがビデオによるグリーティングを収録及び提出するビデオ提出を提供する。ユーザーが個人的なメモを（図１６の）ボックス３１０に以前に入力している場合、そのような個人的なメモは図１７のボックス３２６に表示される。ユーザーが図１７のページ３１６に到達すると、ウェブカメラがコンピュータに接続されオンになっていれば、ユーザーは自動的にページ３１６上にウェブカメラストリーム及びビデオプレーヤー／レコーダー３２０を見ることが出来るはずである。
【００８７】
ビデオによるグリーティングを収録するためには、ビデオプレーヤー／レコーダー３２０で「収録」ボタン３２２を選択する。収録を停止するには、「ストップ」ボタン３２４を選択する。１つの構造によれば、ユーザーがビデオによるグリーティングを収録する時間は３０秒である。ビデオレコーダーがどれほどの時間収録したかをユーザーに伝えるタイマーが、ビデオプレーヤー／レコーダー３２０の隅についている。
【００８８】
収録されたビデオによるグリーティングを見るために、ビデオによるグリーティングが収録されるとボタン３２２がビデオプレーヤー／レコーダー３２０のスタート（または再生）ボタンになる。ビデオによるグリーティングを見た後でグリーティングが気に入らない場合には、サービス提供会社に検閲のためにビデオによるグリーティングを提出するまで、何度でも好きなだけビデオによるグリーティングを収録しなおすことが出来る。ビデオによるグリーティングを収録しなおすには、ユーザーは「収録」ボタンを押すだけで再収録のプロセスの間に古いグリーティングは削除される。オプションとして、ビデオプレーヤー３２０には別の収録ボタン及びスタートボタンが備えられている。
【００８９】
図１８は提出確認から成るプロセスの第３のステップを図示している。より詳しくは、提出確認ページ３３４は、ビデオによるグリーティングが検閲のためにサービス提供会社へ提出されたこと、及び承認されウェブサイトへ掲載された場合はその承認、掲載を伝える「おめでとうございます！」の指示セット３３６を含む。「個人広告へ戻る」のボタン３３８により、ユーザーは例えば図１９に示すページ３４２のような個人広告のページに戻ることが出来る。ユーザーがビデオによるグリーティングの収録に成功しそのビデオによるグリーティングに満足すると、ユーザーは図１７の一番下に示すにある「次へ」のボタン３３２を押すだけで、ビデオによるグリーティングはサービス提供会社で（検閲、コンテンツの承認を行う）カスタマーケア担当者によって検閲されるために提出される。その後図１８に図示されるように確認画面が開き、ユーザーにビデオによるグリーティングが提出されたことが伝えられる。電子メールもユーザーの個人広告メールボックスに送られ、ビデオによるグリーティングが検閲、承認のために提出され、うまくいけばサービス提供会社のウェブサイトに掲載されるであろうことが確認される。「いますぐ検索する」のテキストリンク３４０によって、ユーザーは相性が合うと思われる個人の中から交際相手になりそうな相手を特定するために、第三者の個人広告を検索し始めることが出来る。
【００９０】
個人広告からビデオによるグリーティングを編集または削除するためには、ユーザーは個人広告サービス提供会社のウェブサイトにサインインする。個人広告のホームページには、「自分の広告を編集する」へのリンクが設けられている。ユーザーがそのようなリンクをクリックすると、広告を編集するページへと導かれる。ユーザーは２つのオプションの中から選択することが出来る。第１のオプションとしては、ユーザーは現在のバージョンを削除して新規のバージョンを収録することによりビデオによるグリーティングを編集することが出来る。第２のオプションとしては、ユーザーは自分の個人広告からビデオによるグリーティングを完全に削除することによりビデオによるグリーティングを削除することが出来る。
【００９１】
ビデオによるグリーティングを編集するためには、ユーザーは「自分のグリーティングを編集する」のリンクをクリックする。このリンクによって、ユーザーは図２１の画面表示に示す、現在のグリーティングを削除するかどうか尋ねられる画面へと進む。グリーティングを削除した後、グリーティングの削除を確認する画面（図示せず）へと導かれる。その後ユーザーは、新規のグリーティングを収録するか、個人広告を編集するために戻るかを選択することが出来る。ビデオによるグリーティングを削除するためには、ユーザーは「自分のグリーティングを編集する」のリンクをクリックする。この操作によって、ユーザーは現在のグリーティングを削除するかどうか尋ねる画面へと進む。グリーティングを削除した後、グリーティングの削除を確認する画面へと導かれる。その後ユーザーは、新規のグリーティングを収録するか、個人広告を編集するために戻るかを選択することが出来る。
【００９２】
図１９は、個人広告を準備し掲載するユーザーのための個人広告文章データ３４４を含む個人広告プレビューページ３４２を図示している。「プレビュー及び掲載する」の指示セット３４６は、広告はまだ掲載されていないが、広告のプレビューによってユーザーの個人広告がサービス提供会社のウェブサイトに掲載された時にどのように見えるかを図示するために、個人広告のプレビューを提示していることをユーザーに知らせる。指示セット３４６はまた、ユーザーが承認プロセスをどのように始めることが出来るか及び、個人広告をどのように変更することが出来るかということを示す。「戻る」ボタン３４８によって、ユーザーは図１７に示す画面表示に戻ることが出来る。「広告を掲載する」のボタン３５０（及びボタン３５８）によって、ユーザーは広告を承認及び掲載のために提出することが出来る。「保存及び後で仕上げる」のボタン３５２（及びボタン３６０）によって、ユーザーはプレビューした個人広告を保存し、個人広告を後で検討して完成させることが出来る。
【００９３】
ページ３４２も、ユーザーが自分のビデオによるグリーティングの音声の構成要素を編集することを可能にする「音声を編集する」のテキストリンク３５４を含む。更に、「ビデオを編集する」のテキストリンク３５６によって、ユーザーは自分のビデオによるグリーティングのビデオの構成要素を編集することが出来る。
【００９４】
図２０は、「ビデオによるグリーティングを編集する」の指示セット３６４が編集可能なビデオプレーヤー３６６とともに設けられている「自分のビデオによるグリーティングを編集する」のページ３６２を図示している。「ビデオプレーヤー」３６６の「スタート」ボタン３６８によって、ユーザーはビデオによるグリーティングを検討するためにビデオによるグリーティングの再生を開始することが出来る。「ストップ」ボタン３７０によって、ユーザーはプレビューのプロセスの間にビデオによるグリーティングの再生を停止することが出来る。指示セット３６４は、提供されたビデオによるグリーティングはユーザーの個人広告に掲載されることをユーザーに知らせ、新規のビデオによるグリーティングを収録したいか、現在のビデオによるグリーティングを削除したいか、現在のビデオによるグリーティングを維持したいかをユーザーに質問する。「キャンセル」ボタン３７２によって、ユーザーは現在のビデオによるグリーティングのプレビューを中止することが出来る。「削除」ボタン３７４によって、ユーザーは新規のビデオによるグリーティングの収録が出来るようになる前に、現在のビデオによるグリーティングを削除することが可能である。「削除」ボタン３７４を選択した後、ユーザーは新規のグリーティングを収録して、サービス提供会社のウェブサイトで社員による検閲のためにその新規のビデオによるグリーティングを提出するオプションが与えられる。「キャンセル」ボタン３７２を選択すると、ユーザーは既存の収録済みのビデオによるグリーティングを維持することとなり、維持したグリーティングはユーザーの個人広告上に引き続き掲載される。
【００９５】
図２０に示す「削除」ボタン３７４を選択することによって、ユーザーは図２１に示す画面表示にある「自分のグリーティングを削除する」の確認ページ３７６へと進む。より詳しくは、図２１に示すページ３７６は、ユーザーにビデオによるグリーティングを削除したいかどうか質問する「自分のグリーティングを削除する」の指示セット３７８を含む。ビデオによるグリーティングを削除したくない場合には、ユーザーは「いいえ」ボタン３８０を選択する。ビデオによるグリーティングを削除したい場合には、ユーザーは「はい」ボタン３８２を選択し、ビデオによるグリーティングは削除される。
【００９６】
図２２の画面表示に図示されるように、ユーザーの個人広告からビデオによるグリーティングを再生するためには、サービス提供会社のウェブサイト上で一般に利用可能になっているので、「ビデオを再生する」のアイコンがユーザーの個人広告の詳細ページに表示される。ビデオによるグリーティングを再生するには、ユーザーは図２２に示す画面表示内にある関連したアイコン（３９０、３９６または３９８）をクリックするだけでよい。そのような機能性は、ユーザーが自分のビデオによるグリーティング個人広告にビデオによるグリーティングを掲載し、グリーティングがサービス提供会社の社員によって検閲及び承認され、その後承認されたビデオによるグリーティングがサービス提供会社のウェブサイトのユーザーの個人広告の詳細ページ下に掲載された場合のみ与えられる。
【００９７】
写真を見るページに戻るためには、図２２を参照しながら以下に説明するように、ユーザーはビデオによるグリーティングを再生し終わるとビデオプレーヤーについている「閉じる」のリンクをクリックすることによって、メインの「写真を見る」ページに戻ることが出来る。その後そのページが更新されてユーザーの従来の写真の表示へ戻る。従って、ビデオプレーヤーを表示するのではなく、写真がユーザーの個人広告の詳細ページ上に図示される。
【００９８】
図２２は、ビデオプレーヤー３８８が従来の写真の代用として備わっている個人広告ビデオ再生のページ３８４を図示している。ビデオプレーヤー３８８は、音声及び／またはビデオを含む関連するビデオ構成要素を再生及び停止することを可能にする「再生」ボタン３９０及び「ストップ」ボタン３９２を含む。ビデオプレーヤー３８８はまた、ユーザーがビデオプレーヤーを閉じることを可能にする「閉じる」ボタンを含み、ビデオプレーヤーを閉じると、ビデオプレーヤー表示に代わり個人広告に関連づけられた以前に選択されたユーザーの写真が表示される。
【００９９】
ページ３８４はまた、個人広告の中で詳細に紹介されているユーザーを描写する「個人広告文章データ」３８６を含む。そのようなデータ３８６はカテゴリー別に提示され、情報は個人広告を利用して相性が合うと思われる相手を特定したい第三者のユーザーによって検索可能である。「電子メールで返事する」のボタン３９４により、ページ３８４を見る第三者は、個人ページ内で詳細に紹介されているユーザーに返事をすることが出来る。「音声を再生する」のボタン３９６により、ページ３８４を見る第三者はビデオプレーヤー３８８内のビデオによるグリーティングのオーディオ構成要素のみを再生することが出来る。「ビデオを再生する」のボタン３９８により、広告を見る第三者は、ビデオプレーヤー３８８によって提示されるビデオによるグリーティングのビデオ構成要素のみを再生することが出来る。「個人広告を保存する」のボタン４００は、第三者ユーザーが自分の見た個人広告を、相性が合う相手であるかどうか見極めるために後で更に考慮及び／または検討するようパーソナルメモリまたはフォルダに保存することが可能である。
【０１００】
図２３は、ユーザーが音声またはビデオによるグリーティングを収録する前にまだ個人広告を掲載していない場合に表示される、掲載広告がないことを告げるエラー４０２を図示している。ユーザーに表示される音声またはビデオによるグリーティングの掲載を催促するバナー４０４には、個人広告を作成出来るページへ戻る「広告を掲載する」ボタン４０６が含まれる。「広告を掲載する」の指示セット４０８は、音声またはビデオによるグリーティングを収録する前にサービス提供会社に個人広告を掲載しなければならない理由を詳しく述べている。
【０１０１】
ユーザーがビデオによるグリーティングを収録しようとするものの、まだ広告を掲載していない場合には、ユーザーは、図２３に詳述するように、ビデオによるグリーティングを収録する前に広告を掲載する必要があることを知らせるページへと導かれる。
【０１０２】
図２４に示すように、ビデオによるグリーティングを収録するのに技術的な問題がある場合には、「収録が出来ませんでした」のページ４１０が開き、グリーティングが収録出来なかったことをユーザーに知らせる。「収録が出来ませんでした」のページ４１０は、ユーザーにビデオ収録が出来なかったことを伝え、戻ってビデオによるグリーティングを再収録する必要があることを伝える「収録が出来ませんでした」の指示セット４１２を含む。「グリーティングをキャンセルする」のボタン４１４によって、ユーザーはグリーティングを中止することが出来る。「自分のグリーティングを収録する」のボタン４１６によって、ユーザーは戻って別のビデオによるグリーティングの収録を試みることが出来る。
【０１０３】
別のビデオによるグリーティングのエラー結果として、ビデオによるグリーティングのプロセスのどの時点であれユーザーが「キャンセル」ボタンをクリックした場合がある。その時は、図２５に示されるように、収録キャンセルページ４１８によって「収録取り消し」のページへと導かれる。ページ４１８はユーザーに収録プロセスを中止したいかどうか尋ねる。
【０１０４】
図２５に示すように、ページ４１８は、ユーザーに本当に収録を中止したいかどうか尋ねる「収録取り消し」指示セット４２０を含む。収録を中止したくない場合には、ユーザーは収録を完了させたいことを示す「いいえ」ボタン４２２を選択する。収録を中止したい場合は、ユーザーのビデオ収録を中止する「はい」ボタン４２４を選択する。
【０１０５】
前述した実施形態によれば、ユーザーは検閲のために予め収録してあるビデオ及び／またはオーディオコンテンツ及び許可された添付ファイルを、サービス提供会社のウェブサイト上の自分の個人広告に提出することが出来る。個人広告はサービス提供会社がホストしている個人広告ウェブページ上に掲載される。１つのケースでは、ユーザーはホームビデオカメラを用いてビデオクリップ（付随のオーディオクリップを含んでいてもよい）を収録することが出来る。別のケースでは、ユーザーは、カセットレコーダーなどのアナログまたはデジタルの音声レコーダーを使用して予め音声によるグリーティングを収録することが出来る。更にまた、前述のように、ユーザーはサービス提供会社のサーバー及びウェブサイトの画面表示機能を使用しながらインタラクティブに直接ビデオ及び／またはオーディオ収録することが出来る。
【０１０６】
サービス提供会社が、ユーザーによって準備され検閲及び承認のためにサービス提供会社に提出されたパーソナルグリーティングを検閲し承認する、コンテンツを検閲する社員を使用することにより更なる効果がもたらされる。ある。（音声及び／またはビデオクリップなどの）パーソナルグリーティングを検閲する１つのテクニックは、好ましくないコンテンツがないか判断するためにパーソナルグリーティングのビデオクリップを見たり及び／または音声クリップを聞く、サービス提供会社の指定管理者から成る。好ましくないコンテンツの例としては、低俗な発言、個人を侮辱するような発言、人種的差別的な発言、子供には不適切な露骨な性的発言、違法行為及び脅迫に関係する発言、性的または違法な性質のビジュアルプレゼンテーションである。この他にも好ましくない要素及び、サービス提供会社が、サービス提供会社がホストしているユーザーの個人ウェブページ上に掲載するのはふさわしくないと見なす要素を含んでいるビデオ及びオーディオによるグリーティングはあると想定される。１つのテクニックとしては、好ましくないビデオ及び／または音声要素のリストを提供されたサービス提供会社の社員が、そのような好ましくないコンテンツが存在しないかどうか提出されたパーソナルグリーティングを検索する。そのようなコンテンツが見つかった場合には、社員はそのようなパーソナルグリーティングを拒否し、ユーザーにパーソナルグリーティングの提出は拒否され、個人広告に添付すること及びサービス提供会社のウェブサイトに掲載することは承認されないた旨知らせる。
【０１０７】
サービス提供会社のウェブサイトの第三者のユーザーが、多くの個人の個人広告を見て、１つ以上のビデオ構成要素及びオーディオ構成要素を含むマルチメディアコンテンツから成る個人広告にアクセスすることを可能にすることにより更なる効果がもたらされる。従って、第三者のユーザーは、個人広告上の特別なアイコンをビジュアルで特定し、個人広告のビデオ及び／またはオーディオ構成要素を選択的に有効にし見ることが出来るようになり、個人広告の中で特徴づけられている個人の中から自分と相性が合うと思われる相手を更に見極めやすくなる。更に、個人広告は、個人広告が対象としているユーザーのために経歴情報を含む場合もある。ビデオによるグリーティング及び音声によるグリーティングの添付は、個人広告が対象としている人たちのために広告を掲載している人についてのより豊富な個人情報を提供することにより、第三者ユーザーが相性が合うと思われる相手を更に見極めやすくする。例えば、個人広告のウェブページに埋め込まれたビデオプレーヤーまたはオーディオプレーヤーを提供することによって、第三者のユーザーは、ビデオまたはオーディオクリップを起動し、個人広告内で描写されている相手についての動的な情報を見ることが出来る。
【図面の簡単な説明】
【０１０８】
以下に、本発明の好ましい実施例を次の添付図面を参照しながら説明する。
【図１】本発明の１つの態様に基くインターネット上で利用可能な個人広告に情報を添付するシステム及び方法を実施するように設定されたデータ処理システムを図示したブロック略図である。
【図２】クライアントの一般的なブラウザ内で表示された状態の個人広告ページの画面表示である。
【図３】「音声によるグリーティングスプラッシュ」ページの画面表示である。
【図４】ユーザーが音声によるグリーティングを収録するプロセスで用いる個人的なメモを準備し収録するのを支援するための「自分のグリーティングをプランする」のページの画面表示である。
【図５】音声によるグリーティングを収録するのに用いる電話番号を入力するための「自分の情報を入力する」のページの画面表示である。
【図６】電話番号を確認、入力し、サービス提供会社がユーザーへの通話を開始出来るようにするための「グリーティングを収録する」のページの画面表示である。
【図７】通話状態を示すことによりユーザーが個人広告に音声によるグリーティングを掲載するのを支援するための「通話状況」のページの画面表示である。
【図８】サービス提供会社に音声によるグリーティングが正しく提出出来たかどうか確認するためにユーザーに提示される「確認」のページの画面表示である。
【図９】編集、削除または呼び出すために個人広告に添付したグリーティングをプレビュー出来るようにするための「自分の音声によるグリーティングを編集する」のページの画面表示である。
【図１０】音声によるグリーティングの削除を確認するための「削除確認」のページの画面表示である。
【図１１】音声によるグリーティングが添付された個人広告を図示した「音声を再生する」のページの画面表示である。
【図１２】音声またはビデオによるグリーティングを収録する前に個人広告を掲載する必要があることをユーザーに知らせる「エラー」のページの画面表示である。
【図１３】音声収録が失敗したことをユーザーに知らせる「収録が出来ませんでした」のページの画面表示を示したものである。
【図１４】音声収録を取り消したいかどうかユーザーに確認する「収録取り消し」のページの画面表示を示したものである。
【図１５】ユーザーのビデオによるグリーティングの準備と収録を開始するための「ビデオによるグリーティングスプラッシュ」のページの画面表示を示したものである。
【図１６】ビデオによるグリーティングの作成の際にユーザーを支援するメモを収録するための「言うことをプランする」のページの画面表示を示したものである。
【図１７】ビデオプレーヤー／レコーダーを含む「ビデオによるグリーティングを収録して提出する」のページの画面表示を示したものである。
【図１８】ユーザーのビデオによるグリーティングがサービス提供会社による検閲のために提出されるとそれをユーザーに伝える「提出確認」のページの画面表示を示したものである。
【図１９】ユーザーの個人広告に添付された音声及びビデオによる機能設定の編集を可能にする個人広告プレビューページを提供する「個人広告を編集する」のページの画面表示を示したものである。
【図２０】ビデオによるグリーティングを検討し編集するための、ビデオプレーヤー付きの「ビデオによるグリーティングを編集する」のページの画面表示を示したものである。
【図２１】ビデオによるグリーティング収録を取り消ししたいかどうかユーザーに確認する「ビデオ削除確認」のページの画面表示を示したものである。
【図２２】ユーザーまたは第三者が個人広告内の個人情報を検討出来るようにするためのビデオプレーヤーが付いた、個人広告の「ビデオを再生する」のページの画面表示を示したものである。
【図２３】まだ個人広告が掲載されていないことをユーザーに知らせる「ユーザーは広告を掲載する必要があります」のページの画面表示を示したものである。
【図２４】ビデオによるグリーティングの収録が失敗したことをユーザーに知らせる「収録失敗」のページの画面表示を示したものである。
【図２５】ビデオ収録を取り消したいかどうかユーザーに確認する「収録取り消し」のページの画面表示を示したものである。
【図１】
2006518892.tif 000003
【図２】
2006518892.tif 000004
【図３】
2006518892.tif 000005
【図４】
2006518892.tif 000006
【図５】
2006518892.tif 000007
【図６】
2006518892.tif 000008
【図７】
2006518892.tif 000009
【図８】
2006518892.tif 000010
【図９】
2006518892.tif 000011
【図１０】
2006518892.tif 000012
【図１１】
2006518892.tif 000013
【図１２】
2006518892.tif 000014
【図１３】
2006518892.tif 000015
【図１４】
2006518892.tif 000016
【図１５】
2006518892.tif 000017
【図１６】
2006518892.tif 000018
【図１７】
2006518892.tif 000019
【図１８】
2006518892.tif 000020
【図１９】
2006518892.tif 000021
【図２０】
2006518892.tif 000022
【図２１】
2006518892.tif 000023
【図２２】
2006518892.tif 000024
【図２３】
2006518892.tif 000025
【図２４】
2006518892.tif 000026
【図２５】
2006518892.tif 000027
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
ネットワーク上で個人広告にコンテンツを添付する方法であって、該方法は、
個人広告にアクセスすることが出来るインターフェースを提供し、ここで、当該個人広告のためのコンテンツの少なくとも一部は特定のユーザーに関連付けされており、
インターフェースを用いて個人広告に関連する、追加のコンテンツをサービス提供会社に承認のために提出し、ここで当該追加のコンテンツはビデオ又はオーディオを少なくとも一つ含むものであり、及び、
少なくとも一人の別のユーザーが、少なくとも個人広告との関連付けが承認された追加のコンテンツにアクセス出来ることと、
を含む、前記方法。
【請求項２】
個人広告のための追加のコンテンツを編集することが出来ることをさらに含む請求項１に記載の方法。
【請求項３】
電話通信リンクによって、追加のコンテンツのためにオーディオの少なくとも一部を提出することが出来ることをさらに含む請求項１に記載の方法。
【請求項４】
電話通信リンクによって、追加のコンテンツのためにオーディオの提出のためのオーディオの案内を提供することをさらに含む請求項１に記載の方法。
【請求項５】
特定のユーザーと電話通信リンクを始めるために提供された電話番号を用いること、及び
追加のコンテンツのためにオーディオの少なくとも一部を提出するために当該特定のユーザーにオーディオの案内を提供することと、
を含む請求項１に記載の方法。
【請求項６】
オーディオコンテンツが、声、音楽又は音のうち少なくとも１つを含むことを特徴とする請求項１に記載の方法。
【請求項７】
追加のコンテンツを作成し、編集し及び再生することのうち少なくとも１つに関する情報を、個人広告に関連付けた特定のユーザーに提供することをさらに含む請求項１に記載の方法。
【請求項８】
追加のコンテンツを少なくとも一人の別のユーザーに再生するための情報を表示することをさらに含む請求項１に記載の方法。
【請求項９】
追加のコンテンツの再生が出来ることを表示するプレーヤーを個人広告における当該追加のコンテンツに埋めこむことをさらに含む請求項１に記載の方法。
【請求項１０】
追加のコンテンツを収録するための少なくとも一つのコントロール及び、承認のための追加のコンテンツを提出するための少なくとも一つのコントロールを提供するインターフェースを追加のコンテンツを収録するために用いることをさらに含む請求項１に記載の方法。
【請求項１１】
少なくとも一部の追加のコンテンツが、個人広告へのアクセスを提供するインターフェースとは別に収録されることを特徴とする請求項１に記載の方法。
【請求項１２】
少なくとも一部の追加のコンテンツが、予め収録された、選択可能なコンテンツを含むことを特徴とする請求項１に記載の方法。
【請求項１３】
追加のコンテンツの提出が、少なくとも他の一人のユーザーによりアクセスを承認されたことを特定のユーザーに通知することをさらに含む請求項１に記載の方法。
【請求項１４】
少なくとも一部の上記請求項記載の方法の作用が、クライアント、サーバー、ホスト又は同等のアプリケーションのうち少なくとも一つにより導入されることを特徴とする請求項１に記載の方法。
【請求項１５】
ネットワーク上で個人広告にコンテンツを添付する装置であって、該装置は、
情報を保存するためのメモリーと、以下の：
個人広告にアクセスすることが出来るインターフェースを提供し、ここで、当該個人広告のためのコンテンツの少なくとも一部は特定のユーザーに関連付けされており、
インターフェースを用いて個人広告に関連する、追加のコンテンツをサービス提供会社に承認のために提出し、ここで当該追加のコンテンツはビデオ又はオーディオを少なくとも一つ含むものであり、及び、
少なくとも一人の別のユーザーが、個人広告への関連付けを承認された少なくとも追加のコンテンツにアクセス出来ることと、
を含む操作を出来るように情報を用いるためのプロセッサと、
を含む、前記装置。
【請求項１６】
インターフェースが、ブラウザアプリケーションにより使用可能になることと、かつ、少なくとも一人の別のユーザーが、個人広告への関連付けを承認された他の情報へアクセスするためのブラウザアプリケーションを用いることと、を特徴とする請求項１５に記載の装置。
【請求項１７】
装置がワイヤレスコンピュータデバイスであることを特徴とする請求項１５に記載の装置。
【請求項１８】
装置に連結されたカメラにより、追加のコンテンツのためのビデオの少なくとも一部を提出できることをさらに含む請求項１５に記載の装置。
【請求項１９】
装置に連結されたマイクにより、又は、電話通信リンクによって、追加のコンテンツのためのオーディオの少なくとも一部を提出できることをさらに含む請求項１５に記載の装置。
【請求項２０】
インターフェースが、サービス提供会社に関連付けられたウェブサイトで提供されることを特徴とする請求項１５に記載の装置。
【請求項２１】
ネットワーク上で個人広告にコンテンツを添付するための情報を含むプロセッサ媒体であって、該媒体は、
個人広告にアクセスすることが出来るインターフェースを提供するモジュールであり、ここで、当該個人広告のためのコンテンツの少なくとも一部は特定のユーザーに関連付けされており、
個人広告に関連する、追加のコンテンツをサービス提供会社に承認のために提出するためにインターフェースを用いるモジュールであり、ここで当該追加のコンテンツはビデオ又はオーディオを少なくとも一つ含むものであり、及び、
少なくとも一人の別のユーザーが、個人広告への関連付けを承認された少なくとも追加のコンテンツとアクセス出来るモジュール、
を含む、前記媒体。
【手続補正２】
【補正対象書類名】明細書
【補正対象項目名】０００３
【補正方法】変更
【補正の内容】
【０００３】
個人向けの結婚仲介及び交際相手紹介サービスは近年インターネット上での実施も定着
してきている。以前は、結婚仲介サービスは、第三者サービス提供会社が結婚相手を求め
る利用者を面接し、個々の利用者の経歴を検討し、その第三者サービス提供会社の判断に
基いて相性が合うと思われる相手を特定することにより行われていた。より詳しくは、幾
つかのサービス提供会社は近年利用者が第三者サービス提供会社の判断を利用せずに、自
分で直接相性が合うと思われる相手を特定することが出来るようにするオンライン個人広
告を導入している。例えば、本願の出願人は近年、インターネット上の出願人のウェブサ
イトに掲載された個人データ及び写真を含む履歴書を利用者が検討、分析出来るようにし
た「Yahoo!パーソナルズ」を導入した。しかしながら、利用者個人が相性が合うと思われる相手をより特定し易くなるよう更に詳細な個人情報を提供する必要がある。
【課題を解決するための手段】
【手続補正３】
【補正対象書類名】明細書
【補正対象項目名】０１０８
【補正方法】変更
【補正の内容】
【０１０８】
以下に、本発明の好ましい実施例を次の添付図面を参照しながら説明する。
【図１】本発明の１つの態様に基くインターネット上で利用可能な個人広告に情報を添付するシステム及び方法を実施するように設定されたデータ処理システムを図示したブロック略図である。
【図２】クライアントの一般的なブラウザ内で表示された状態の個人広告ページの画面表示である。
【図３】「音声によるグリーティングスプラッシュ」ページの画面表示である。
【図４】ユーザーが音声によるグリーティングを収録するプロセスで用いる個人的なメモを準備し収録するのを支援するための「自分のグリーティングをプランする」のページの画面表示である。
【図５】音声によるグリーティングを収録するのに用いる電話番号を入力するための「自分の情報を入力する」のページの画面表示である。
【図６】電話番号を確認、入力し、サービス提供会社がユーザーへの通話を開始出来るようにするための「グリーティングを収録する」のページの画面表示である。
【図７】通話状態を示すことによりユーザーが個人広告に音声によるグリーティングを掲載するのを支援するための「通話状況」のページの画面表示である。
【図８】サービス提供会社に音声によるグリーティングが正しく提出出来たかどうか確認するためにユーザーに提示される「確認」のページの画面表示である。
【図９】編集、削除または維持するために個人広告に添付したグリーティングをプレビュー出来るようにするための「自分の音声によるグリーティングを編集する」のページの画面表示である。
【図１０】音声によるグリーティングの削除を確認するための「削除確認」のページの画面表示である。
【図１１】音声によるグリーティングが添付された個人広告を図示した「音声を再生する」のページの画面表示である。
【図１２】音声またはビデオによるグリーティングを収録する前に個人広告を掲載する必要があることをユーザーに知らせる「エラー」のページの画面表示である。
【図１３】音声収録が失敗したことをユーザーに知らせる「収録が出来ませんでした」のページの画面表示を示したものである。
【図１４】音声収録を取り消したいかどうかユーザーに確認する「収録取り消し」のページの画面表示を示したものである。
【図１５】ユーザーのビデオによるグリーティングの準備と収録を開始するための「ビデオによるグリーティングスプラッシュ」のページの画面表示を示したものである。
【図１６】ビデオによるグリーティングの作成の際にユーザーを支援するメモを収録するための「言うことをプランする」のページの画面表示を示したものである。
【図１７】ビデオプレーヤー／レコーダーを含む「ビデオによるグリーティングを収録して提出する」のページの画面表示を示したものである。
【図１８】ユーザーのビデオによるグリーティングがサービス提供会社による検閲のために提出されるとそれをユーザーに伝える「提出確認」のページの画面表示を示したものである。
【図１９】ユーザーの個人広告に添付された音声及びビデオによる機能設定の編集を可能にする個人広告プレビューページを提供する「個人広告を編集する」のページの画面表示を示したものである。
【図２０】ビデオによるグリーティングを検討し編集するための、ビデオプレーヤー付きの「ビデオによるグリーティングを編集する」のページの画面表示を示したものである。
【図２１】ビデオによるグリーティング収録を取り消ししたいかどうかユーザーに確認する「ビデオ削除確認」のページの画面表示を示したものである。
【図２２】ユーザーまたは第三者が個人広告内の個人情報を検討出来るようにするためのビデオプレーヤーが付いた、個人広告の「ビデオを再生する」のページの画面表示を示したものである。
【図２３】まだ個人広告が掲載されていないことをユーザーに知らせる「ユーザーは広告を掲載する必要があります」のページの画面表示を示したものである。
【図２４】ビデオによるグリーティングの収録が失敗したことをユーザーに知らせる「収録失敗」のページの画面表示を示したものである。
【図２５】ビデオ収録を取り消したいかどうかユーザーに確認する「収録取り消し」のページの画面表示を示したものである。
【国際調査報告】
2006518892.tif 000028